(57)【要約】      （修正有）【課題】インク供給チューブの取り扱い性に優れた記録装置を提供する。【解決手段】記録装置は被記録媒体に対し液体を噴射する記録ヘッドと、液体を収容する液体収容部と、液体収容部と記録ヘッドとの間の液体の流路に設けられた液体を中継する中継部と、液体収容部と中継部との間における液体の流路の少なくとも一部を形成するとともに、中継部に対して着脱可能なチューブ４４Ａと、中継部から取り外された状態のチューブ４４Ａを保持する保持部６４とを備えている。保持部６４は、チューブ４４Ａの開口を上に向けた状態でチューブ４４Ａを保持する。また、記録装置は、液体収容部及びチューブ４４Ａを、複数色の液体毎に備え、保持部６４は、複数のチューブ４４Ａ毎に保持する構成である。【選択図】図１４
2017124542.tif 000002
【特許請求の範囲】
【請求項１】
被記録媒体に対し液体を噴射する記録ヘッドと、
前記液体を収容する液体収容部と、
前記液体収容部と前記記録ヘッドとの間の前記液体の流路に設けられた、前記液体を中
継する中継部と、
前記液体収容部と前記中継部との間における前記液体の流路の少なくとも一部を形成す
るとともに、前記中継部に対して着脱可能なチューブと、
前記中継部から取り外された状態の前記チューブを保持する保持部と、
を備えた記録装置。
【請求項２】
被記録媒体に対し液体を噴射する記録ヘッドと、
前記液体を収容する液体収容部と、
前記液体収容部と前記記録ヘッドとの間における前記液体の流路の少なくとも一部を形
成するとともに、前記液体収容部に対して着脱可能なチューブと、
前記液体収容部から取り外された状態の前記チューブを保持する保持部と、
を備えた記録装置。
【請求項３】
被記録媒体に対し液体を噴射する記録ヘッドを備えるユニット体と、
前記液体を収容する液体収容部と、
前記液体収容部と前記記録ヘッドとの間における前記液体の流路の少なくとも一部を形
成するとともに、前記ユニット体に対して着脱可能なチューブと、
前記ユニット体から取り外された状態の前記チューブを保持する保持部と、
を備えた記録装置。
【請求項４】
請求項１から請求項３のいずれか一項に記載の記録装置において、前記保持部は、前記
チューブの開口を上に向けた状態で前記チューブを保持する、
ことを特徴とする記録装置。
【請求項５】
請求項１から請求項４のいずれか一項に記載の記録装置において、前記液体収容部及び
前記チューブを、複数色の前記液体毎に備え、
前記保持部は、複数の前記チューブ毎に保持する構成である、
ことを特徴とする記録装置。
【請求項６】
請求項１から請求項５のいずれか一項に記載の記録装置において、前記チューブの開口
端は、前記チューブの径より大きいフランジ部を有する着脱アダプタにより構成され、
前記保持部は、前記フランジ部を利用して前記着脱アダプタを係止する構成である、
ことを特徴とする記録装置。
【請求項７】
請求項６に記載の記録装置において、前記保持部は、ワンタッチクランプにより構成さ
れる、
ことを特徴とする記録装置。
【請求項８】
請求項１に記載の記録装置において、前記中継部が着脱可能に構成され、
前記保持部が前記チューブを保持した状態において、前記保持部及び前記チューブが、
前記中継部の着脱領域から外れた場所に位置している、
ことを特徴とする記録装置。
【請求項９】
請求項１に記載の記録装置において、前記中継部は、前記チューブが接続される接続部
からの前記液体の漏出を止める逆止弁を備える、
ことを特徴とする記録装置。
【請求項１０】
請求項２に記載の記録装置において、前記液体収容部を格納する格納部を備え、
前記保持部は、前記格納部の内部に設けられている、
ことを特徴とする記録装置。
【発明の詳細な説明】
【技術分野】
【０００１】
本発明は、被記録媒体に記録を行う記録装置に関する。
【背景技術】
【０００２】
以下、記録装置の一例としてのインクジェットプリンターを例に説明する。インクジェ
ットプリンターには、特許文献１に示される様に、装置本体の外側に液体収容ユニットを
設け、インク収容可能量の増大化を可能とするものがある。装置本体の外側に設けられた
液体収容ユニットとキャリッジとは、インク供給チューブで接続される。
【先行技術文献】
【特許文献】
【０００３】
【特許文献１】国際公開第ＷＯ２０１５／１３６９１４号
【発明の概要】
【発明が解決しようとする課題】
【０００４】
装置本体のメンテナンス作業や修理作業を行う際、インク供給チューブは所定の接続部
位において取り外される場合がある。  
しかしながらこの取り外したインク供給チューブを、開口端を下に向けて垂らした状態
に放置すると、開口端からインクが漏れ出す虞がある。
【０００５】
そのため従来、作業者は取り外したインク供給チューブを、例えば適宜の位置で粘着テ
ープなどを利用して固定していたが、作業性が悪いとともに、容易に外れてしまう場合も
あった。特に、粘着テープの貼り方や貼り面の状態（凹凸の存在、油や塵埃等の付着、な
ど）により、容易に剥がれてしまう虞がある。
【０００６】
そこで本発明はこの様な状況に鑑みなされたものであり、その目的は、インク供給チュ
ーブの取り扱い性に優れた記録装置を提供することにある。
【課題を解決するための手段】
【０００７】
上記課題を解決する為の、本発明の第１の態様に係る記録装置は、被記録媒体に対し液
体を噴射する記録ヘッドと、前記液体を収容する液体収容部と、前記液体収容部と前記記
録ヘッドとの間の前記液体の流路に設けられた、前記液体を中継する中継部と、前記液体
収容部と前記中継部との間における前記液体の流路の少なくとも一部を形成するとともに
、前記中継部に対して着脱可能なチューブと、前記中継部から取り外された状態の前記チ
ューブを保持する保持部とを備えたことを特徴とする。
【０００８】
本態様によれば、記録装置は、前記液体収容部と前記記録ヘッドとの間の前記液体の流
路に設けられた、前記液体を中継する中継部を備え、そして前記中継部から取り外された
状態の前記チューブを保持する保持部を備えているので、前記中継部から取り外した前記
チューブを、作業性容易に保持することができる。
【０００９】
本発明の第２の態様に係る記録装置は、被記録媒体に対し液体を噴射する記録ヘッドと
、前記液体を収容する液体収容部と、前記液体収容部と前記記録ヘッドとの間における前
記液体の流路の少なくとも一部を形成するとともに、前記液体収容部に対して着脱可能な
チューブと、前記液体収容部から取り外された状態の前記チューブを保持する保持部とを
備えたことを特徴とする。
【００１０】
本態様によれば、記録装置は、液体を収容する液体収容部から取り外された状態のチュ
ーブを保持する保持部を備えているので、前記液体収容部から取り外した前記チューブを
、作業性容易に保持することができる。
【００１１】
本発明の第３の態様に係る記録装置は、被記録媒体に対し液体を噴射する記録ヘッドを
備えるユニット体と、前記液体を収容する液体収容部と、前記液体収容部と前記記録ヘッ
ドとの間における前記液体の流路の少なくとも一部を形成するとともに、前記ユニット体
に対して着脱可能なチューブと、前記ユニット体から取り外された状態の前記チューブを
保持する保持部とを備えたことを特徴とする。
【００１２】
本態様によれば、記録装置は、被記録媒体に対し液体を噴射する記録ヘッドを備えるユ
ニット体を備え、そして前記ユニット体から取り外された状態の前記チューブを保持する
保持部を備えているので、前記ユニット体から取り外した前記チューブを、作業性容易に
保持することができる。
【００１３】
本発明の第４の態様は、第１から第３の態様のいずれかにおいて、前記保持部は、前記
チューブの開口を上に向けた状態で前記チューブを保持することを特徴とする。  
本態様によれば、前記保持部は、前記チューブの開口を上に向けた状態で前記チューブ
を保持するので、前記チューブの開口からの前記液体の漏出を、より確実に防止すること
ができる。
【００１４】
本発明の第５の態様は、第１から第４の態様のいずれかにおいて、前記液体収容部及び
前記チューブを、複数色の前記液体毎に備え、前記保持部は、複数の前記チューブ毎に保
持する構成であることを特徴とする。
【００１５】
本態様によれば、前記液体収容部及び前記チューブを、複数色の前記液体毎に備え、前
記保持部は、複数の前記チューブ毎に保持する構成であるので、複数本の前記チューブを
纏めて保持させる構成に比して前記保持部に前記チューブを保持させる作業が容易になる
とともに、任意のチューブのみを保持させることができ、記録装置のメンテナンス作業や
修理作業の自由度が向上する。
【００１６】
本発明の第６の態様は、第１から第５の態様のいずれかにおいて、前記チューブの開口
端は、前記チューブの径より大きいフランジ部を有する着脱アダプタにより構成され、前
記保持部は、前記フランジ部を利用して前記着脱アダプタを係止する構成であることを特
徴とする。
【００１７】
本態様によれば、前記チューブの開口端は、前記チューブの径より大きいフランジ部を
有する着脱アダプタにより構成され、前記保持部は、前記フランジ部を利用して前記着脱
アダプタを係止する構成であるので、前記保持部の構造が簡単になるとともに、前記チュ
ーブを確実に保持することができる。
【００１８】
本発明の第７の態様は、第６の態様において、前記保持部は、ワンタッチクランプによ
り構成されることを特徴とする。  
本態様によれば、前記保持部は、ワンタッチクランプにより構成されるので、前記チュ
ーブを、より一層作業性容易に、前記保持部に保持させることができる。
【００１９】
本発明の第８の態様は、第１の態様において、前記中継部が着脱可能に構成され、前記
保持部が前記チューブを保持した状態において、前記保持部及び前記チューブが、前記中
継部の着脱領域から外れた場所に位置していることを特徴とする。  
本態様によれば、前記中継部が着脱可能に構成され、前記保持部が前記チューブを保持
した状態において、前記保持部及び前記チューブが、前記中継部の着脱領域から外れた場
所に位置しているので、前記中継部の着脱作業の際に前記保持部及び前記チューブが邪魔
にならず、作業性容易に前記中継部を着脱することができる。
【００２０】
本発明の第９の態様は、第１の態様において、前記中継部は、前記チューブが接続され
る接続部からの前記液体の漏出を止める逆止弁を備えることを特徴とする。  
本態様によれば、前記チューブを前記中継部から取り外した際の、前記接続部からの液
体の漏出を防止することができる。
【００２１】
本発明の第１０の態様は、第２の態様において、前記液体収容部を格納する格納部を備
え、前記保持部は、前記格納部の内部に設けられていることを特徴とする。
【図面の簡単な説明】
【００２２】
【図１】本発明に係るプリンターを示す外観斜視図。
【図２】プリンターにおける記録機構部において一部の外装部材を取り外した状態を示す斜視図。
【図３】キャリッジ、中継部及びインク収容体格納部の関係を示す斜視図。
【図４】本発明に係るキャリッジの斜視図。
【図５】キャリッジに接続されるインクチューブ接続部の斜視図。
【図６】インクチューブ接続部を取り外した状態のキャリッジの斜視図。
【図７】本発明に係るキャリッジとインク収容体との間に設けられた中継部の斜視図。
【図８】装置左側面に設けられたインク収容体格納部に格納されたインク収容体を示す側面図。
【図９】装置左側面に設けられたインク収容体格納部からインク収容体を取り外した状態を示す斜視図。
【図１０】装置右側面に設けられたインク収容体格納部からインク収容体を取り外した状態を示す斜視図。
【図１１】装置右側面に設けられたインク収容体格納部を装置から取り外した状態を示す斜視図。
【図１２】中継部から取り外されたインクチューブを保持する保持部の斜視図。
【図１３】保持部に設けられたワンタッチクランプを開いた状態の斜視図。
【図１４】保持部においてインクチューブを保持した状態を示す斜視図。
【図１５】インク収容体格納部においてインクチューブを保持する状態を示す斜視図。
【図１６】第２の実施例における保持部を示す斜視図。
【図１７】第２の実施例においてインクチューブを保持部に保持した状態を示す斜視図。
【図１８】第３の実施例における保持部を示す斜視図。
【図１９】第３の実施例においてインクチューブを保持部に保持した状態を示す斜視図。
【発明を実施するための形態】
【００２３】
以下、本発明の実施の形態を図面に基づいて説明する。尚、各実施例において同一の構
成については、同一の符号を付し、最初の実施例においてのみ説明し、以後の実施例にお
いてはその構成の説明を省略する。
【００２４】
図１は本発明に係るプリンターを示す外観斜視図であり、図２はプリンターにおける記
録機構部において一部の外装部材を取り外した状態を示す斜視図であり、図３はキャリッ
ジ、中継部及びインク収容体格納部の関係を示す斜視図であり、図４は本発明に係るキャ
リッジの斜視図であり、図５はキャリッジに接続されるインクチューブ接続部の斜視図で
あり、図６はインクチューブ接続部を取り外した状態のキャリッジの斜視図である。
【００２５】
また、図７は本発明に係るキャリッジとインク収容体との間に設けられた中継部の斜視
図であり、図８は装置左側面に設けられたインク収容体格納部に格納されたインク収容体
を示す側面図であり、図９は装置左側面に設けられたインク収容体格納部からインク収容
体を取り外した状態を示す斜視図であり、図１０は装置右側面に設けられたインク収容体
格納部からインク収容体を取り外した状態を示す斜視図であり、図１１は装置右側面に設
けられたインク収容体格納部を装置から取り外した状態を示す斜視図であり、図１２は中
継部から取り外されたインクチューブを保持する保持部の斜視図である。
【００２６】
また、図１３は保持部に設けられたワンタッチクランプを開いた状態の斜視図であり、
図１４は保持部においてインクチューブを保持した状態を示す斜視図であり、図１５はイ
ンク収容体格納部においてインクチューブを保持する状態を示す斜視図であり、図１６は
第２の実施例における保持部を示す斜視図であり、図１７は第２の実施例においてインク
チューブを保持部に保持した状態を示す斜視図であり、図１８は第３の実施例における保
持部を示す斜視図であり、図１９は第３の実施例においてインクチューブを保持部に保持
した状態を示す斜視図である。
【００２７】
また、各図において示すＸ−Ｙ−Ｚ座標系はＸ方向がスキャナ部の給送機構部における
原稿の送り方向であるとともに記録装置の幅方向、Ｙ方向が読み取り機構部における主走
査方向であるとともに記録装置の奥行き方向、Ｚ方向が装置高さ方向を示している。尚、
各図において＋Ｘ方向側を装置左側とし、−Ｘ方向側を装置右側とし、−Ｙ方向を装置前
面側とし、＋Ｙ方向側を装置背面側とし、＋Ｚ軸方向側を装置上方側とし、−Ｚ軸方向側
を装置下方側とする。
【００２８】
■■■第１の実施例の説明■■■■
＜＜＜プリンターの概要＞＞＞
図１を参照するに、本実施例に係る「記録装置」としてのプリンター１０は、装置本体
を構成する記録機構部１２と、記録機構部１２の上方に配置され、記録機構部１２に対し
て回動可能なスキャナ部１４と、記録機構部１２の装置幅方向の右側面及び左側面にそれ
ぞれ配置されたインク収容体格納部１６Ａ、１６Ｂとを備えている。
【００２９】
記録機構部１２は、下部に被記録媒体を収容する媒体収容部１８が設けられている。ま
た、記録機構部１２の前面側には、排出口２０が設けられている。そして、媒体収容部１
８の上部には、排出口２０から排出された被記録媒体を受ける排出トレイ２２が設けられ
ている。
【００３０】
また、装置前面側において排出口２０の上方には、操作部２４が設けられている。そし
て、記録機構部１２内には、「ユニット体」としてのキャリッジ２６（図１破線部及び図
３参照）が図示しない駆動手段により装置幅方向に沿って往復動可能に構成されている。
キャリッジ２６の下部には被記録媒体に向けてインクを吐出する記録ヘッド２８（破線部
及び図６参照）が設けられている。
【００３１】
本実施例において、媒体収容部１８に収容された被記録媒体は、図示しない給送手段に
より、キャリッジ２６の記録ヘッド２８と対向する領域に送られる。そして、記録ヘッド
２８と対向する領域において被記録媒体は記録ヘッド２８から吐出されるインクを受けて
記録が実行される。そして、記録が実行された被記録媒体は、排出トレイ２２に向けて排
出される。
【００３２】
＜＜＜スキャナ部の概要＞＞＞
続いて、スキャナ部１４の概要について説明する。スキャナ部１４は、上面に原稿を載
置する原稿台１４ａ（図１破線部参照）を備えた読み取り機構部１４ｂと、読み取り機構
部１４ｂに対して閉じた姿勢（図１における符号１４ｃが付されている状態）と開いた姿
勢（図１における符号１４ｃ′が付された状態）とを切換え可能な給送機構部１４ｃとを
備えている。本実施例において給送機構部１４ｃは装置背面側の端部を回動支点として読
み取り機構部１４ｂに対して回動可能に構成されている。
【００３３】
そして、給送機構部１４ｃを読み取り機構部１４ｂに対して開いた姿勢（図１における
符号１４ｃ′の状態）にすることにより、原稿台１４ａ（図１破線部参照）に原稿をセッ
トすることが可能である。また、読み取り機構部１４ｂ内には原稿台１４ａにセットされ
た原稿の被読み取り面を読み取り可能な読み取り手段（不図示）が設けられている。また
、給送機構部１４ｃは原稿セット部１４ｄにセットされた原稿を原稿排出トレイ１４ｅに
向けて搬送可能に構成されており、原稿の搬送途中で原稿の被読み取り面を読み取り手段
により読み取り可能に構成されている。
【００３４】
＜＜＜プリンターにおけるインク流路について＞＞＞
図２及び図３を参照するに、記録機構部１２の装置幅方向における両側面には、インク
収容体格納部１６Ａ、１６Ｂがそれぞれ配置されている。インク収容体格納部１６Ａ、１
６Ｂには、「液体」としてのインクを収容する、「液体収容部」としてのインク収容体３
０（図８参照）が格納されている。具体的には、図２における記録機構部１２の左側面に
設けられたインク収容体格納部１６Ａには黒色のインクを収容するインク収容体３０（図
８参照）が格納されている。尚、本実施例におけるインク収容体３０は、一例として密封
された袋状のパック部材として構成されている。
【００３５】
また、図２における記録機構部１２の右側面に設けられたインク収容体格納部１６Ｂに
は、図示しないが一例としてマゼンタ、イエロー、シアンの各色のインクを収容するイン
ク収容体３０が格納されている。
【００３６】
本実施例において、記録機構部１２内部には、記録ヘッド２８を備えたキャリッジ２６
及び中継部３２が設けられている。図３を参照して、プリンター１０における「液体の流
路」としてのインク流路３４について説明する。本実施例においてインク流路３４は、イ
ンク収容体格納部１６Ａ内に収容されたインク収容体３０及びインク収容体格納部１６Ｂ
内に収容されたインク収容体３０（図３では不図示）から中継部３２を介してキャリッジ
２６の底部に設けられた記録ヘッド２８にインクを供給する経路として構成されている。
【００３７】
さらに、図４ないし図１１を参照してインク流路３４について説明する。図４ないし図
６に示すように、キャリッジ２６は装置高さ方向上方側が開口された箱状に形成されてい
る。そして、箱状のキャリッジ２６内には、記録ヘッド２８にインクを供給するためのイ
ンクチューブ接続部３６（図５参照）がねじ等の締結部材（不図示）により取り付けられ
ている。図６に示すようにキャリッジ２６には、インクチューブ接続部３６の装置高さ方
向下方側に記録ヘッド２８が取り付けられている。
【００３８】
また、インクチューブ接続部３６には、「チューブ」としてのインクチューブ３８の一
端が取り付けられている。本実施例においてインクチューブ３８は、記録ヘッド２８に供
給されるインクの色の数に対応した本数のインクチューブを並列に纏めて形成されている
。そして、インクチューブ３８は図３及び図４に示すようにインクチューブ接続部３６か
ら装置高さ方向上方側に湾曲反転しながら中継部３２に向かって延び、他端部が中継部３
２に接続されている。
【００３９】
ここでインクチューブ３８を構成する複数のインクチューブは、可撓性の材料で形成さ
れており、キャリッジ２６の装置幅方向への移動に伴って追従変形が可能に構成されてい
る。
【００４０】
＜＜＜中継部について＞＞＞
図３及び図７を参照するに、中継部３２は、装置奥行き方向前面側に開口する箱状に構
成されている。中継部３２の装置幅方向右側面には、インクチューブ３８の他端部が接続
される接続部３２ａが設けられている。本実施例において、接続部３２ａには不図示の逆
止弁が設けられている。また、本実施例において中継部３２は、記録機構部１２における
メンテナンス作業時において記録機構部１２に対して着脱可能に取り付けられている。
【００４１】
また、箱状の中継部３２において開口部３２ｂの奥方にはコネクタ接続部４０が設けら
れている。コネクタ接続部４０には、複数のコネクタ接続口４２が設けられている。尚、
コネクタ接続口４２は、記録ヘッド２８に供給するインクの色数に対応して設けられてい
る。本実施例において、コネクタ接続口４２は４つ設けられており、それぞれ、黒色、マ
ゼンタ、イエロー、シアンの各色に対応している。尚、図７において黒色のインクに対応
するコネクタ接続口４２の図示は省略されている。
【００４２】
また、本実施例において、中継部３２の背面側には不図示のポンプ手段が設けられてい
る。本実施例では、一例として各コネクタ接続口４２に対してダイヤフラムポンプが設け
られている。
【００４３】
そして、中継部３２の各コネクタ接続口４２に、それぞれインク収容体格納部１６Ａか
ら延びて黒色インクを供給する、「チューブ」としてのインクチューブ４４Ａ、インク収
容体格納部１６Ｂから延びてマゼンタ、イエロー及びシアンの各インクを供給する、「チ
ューブ」としてのインクチューブ４４Ｂ、４４Ｃ、４４Ｄが接続されている。
【００４４】
また、各インクチューブ４４Ａ、４４Ｂ、４４Ｃ、４４Ｄにおいてコネクタ接続口４２
に接続される側の端部には、図１４に示すように着脱アダプタ４６が取り付けられている
。本実施例では、各インクチューブ４４Ａ、４４Ｂ、４４Ｃ、４４Ｄの着脱アダプタ４６
をコネクタ接続口４２に差込み、着脱アダプタ４６を捻ることで、着脱アダプタ４６とコ
ネクタ接続口４２とがロックされるように構成されている。尚、着脱アダプタ４６には、
図１４に示すようにインクチューブの径寸法よりも大きい径寸法を有するフランジ部４６
ａが設けられている。
【００４５】
図８及び図９を参照するに、インク収容体格納部１６Ａは、外装部材４８を記録機構部
１２とインク収容体格納部１６Ａとの間に挟みこんだ状態で記録機構部１２に対して取り
付けられている。本実施例において外装部材４８は記録機構部１２の装置幅方向左側面の
外観の少なくとも一部を構成している。
【００４６】
インク収容体格納部１６Ａにはインク収容体３０が着脱可能な接続部５０が設けられて
いる。インク収容体３０は、接続部５０に接続された状態で、収容したインクをインク収
容体３０の外側に送出が可能に構成されている。また、接続部５０にも不図示の逆止弁が
設けられている。
【００４７】
また、図９及び図１５に示すようにインク収容体格納部１６Ａには、インクチューブ４
４を案内するリブ６８が設けられている。そして、接続部５０には、インクチューブ４４
Ａが接続されている。インクチューブ４４Ａは、図９に示すように接続部５０の下方側に
延びた後、装置奥行き方向前面側に延びている。そして、インクチューブ４４Ａは、リブ
６８に案内されて装置高さ方向上方側に延び、インク収容体格納部１６Ａに設けられた開
口部５２からインク収容体格納部１６Ａの外側に出て、記録機構部１２内へと引き込まれ
ている。そして、インクチューブ４４Ａは図７に示すように中継部３２に接続されている
。
【００４８】
尚、本実施例においてインク収容体格納部１６Ａは、インクチューブ４４Ａを中継部３
２から取り外すことで、インク収容体格納部１６Ａを記録機構部１２から取り外すことが
可能に構成されている。
【００４９】
次いで、図１０及び図１１を参照して、インク収容体格納部１６Ｂから中継部３２まで
のインク経路について説明する。インク収容体格納部１６Ｂは、外装部材５４を記録機構
部１２とインク収容体格納部１６Ｂとの間に挟みこんだ状態で記録機構部１２に対して取
り付けられている。本実施例において外装部材５４は、記録機構部１２の装置幅方向右側
面の外観の少なくとも一部を構成している。
【００５０】
図１０に示すように、インク収容体格納部１６Ｂには、複数の接続部５６Ａ、５６Ｂ、
５６Ｃが設けられている。本実施例において、接続部５６Ａ、５６Ｂ、５６Ｃはマゼンタ
、イエロー、シアンの各色のインクにそれぞれ対応している。そして、接続部５６Ａ、５
６Ｂ、５６Ｃは、マゼンタ、イエロー、シアンの各色のインクを収容したインク収容体３
０をそれぞれ着脱可能に構成されている。尚、接続部５６Ａ、５６Ｂ、５６Ｃには、不図
示の逆止弁が設けられている。
【００５１】
接続部５６Ａ、５６Ｂ、５６Ｃには、それぞれインクチューブ５８Ａ、５８Ｂ、５８Ｃ
の一端が接続されている。そして、インクチューブ５８Ａ、５８Ｂ、５８Ｃの他端には、
着脱アダプタ４６が設けられている。インクチューブ５８Ａ、５８Ｂ、５８Ｃの他端は、
着脱アダプタ４６を介して、インク収容体格納部１６Ｂ内において装置奥行き方向前面側
に位置する中継部６０にそれぞれ着脱可能に接続されている。
【００５２】
中継部６０は、図１１に示すように記録機構部１２に設けられ、記録機構部１２から装
置幅方向右側に突出している。そして、中継部６０は外装部材５４に設けられた開口部５
４ａと、インク収容体格納部１６Ｂに設けられた開口部６２とを抜けてインク収容体格納
部１６Ｂ内に突出している。
【００５３】
また、図３に示すように中継部６０にはインクチューブ４４Ｂ、４４Ｃ、４４Ｄが着脱
可能に取り付けられている。尚、本実施例においてインク収容体格納部１６Ｂは、中継部
６０からインクチューブ５８Ａ、５８Ｂ、５８Ｃの他端を取り外すことによりインク収容
体格納部１６Ｂを記録機構部１２から取り外すことが可能に構成されている。
【００５４】
＜＜＜保持部について＞＞＞
次いで図１２ないし図１４を参照してインクチューブを一時的に仮置きする保持部６４
について説明する。本実施例において、保持部６４は図２及び図１２に示すように記録機
構部１２の装置奥行き方向前面側に設けられている。より具体的には装置幅方向において
中継部３２に対応する位置に設けられている。また、保持部６４は、装置高さ方向におい
て中継部３２よりも下方側に配置されている。
【００５５】
このように構成することにより、例えば、記録機構部１２のメンテナンス作業時に中継
部３２及び中継部３２からインクチューブ接続部３６までのインクを供給する経路の少な
くとも一つを記録機構部１２から取り外して、交換する際、中継部３２と保持部６４とが
干渉することを防止でき、中継部３２の着脱を容易に行うことができる。
【００５６】
本実施例において、図１２に示すように保持部６４には、複数のワンタッチクランプ６
６Ａ、６６Ｂが設けられている。本実施例においてワンタッチクランプ６６Ａ、６６Ｂは
樹脂材料等で構成された市販品を使用している。ワンタッチクランプ６６Ａ、６６Ｂは、
図１２に示す閉じた状態と、図１３に示す開いた状態とを簡単な動作で切換え可能に構成
されている。そして、開いた状態のワンタッチクランプ６６Ａ、６６Ｂ内に中継部３２の
コネクタ接続部４０から取り外したインクチューブ４４Ａ、４４Ｂ、４４Ｃ、４４Ｄのチ
ューブ部分を入れ込み、ワンタッチクランプ６６Ａ、６６Ｂを閉じる。
【００５７】
図１４に示すように、ワンタッチクランプ６６Ａを閉じた状態に切換え、インクチュー
ブ４４Ａから手を離すと、インクチューブ４４Ａの先端に設けられた着脱アダプタ４６の
フランジ部４６ａがワンタッチクランプ６６Ａに支持される。すなわち、インクチューブ
４４Ａは、ワンタッチクランプ６６Ａ、ひいては保持部６４により、インクチューブ４４
Ａの開口を装置高さ方向上方に向けて保持する。これにより、インクチューブ４４Ａの開
口からチューブ内のインクが滴り落ちることを低減できる。
【００５８】
尚、本実施例においてワンタッチクランプ６６の開口部の大きさは、インクチューブ４
４の外径寸法よりも大きく、着脱アダプタ４６のフランジ部４６ａの外径寸法より小さく
設定されている。
【００５９】
尚、図１４では、ワンタッチクランプ６６Ａに支持されるインクチューブ４４Ａのみを
図示したが、本実施例においてワンタッチクランプ６６Ｂは中継部３２、あるいは中継部
６０から取り外したインクチューブ４４Ｂ、４４Ｃ、４４Ｄを保持可能に構成されている
。
【００６０】
また、図１５を参照するに、インク収容体格納部１６Ａを記録機構部１２から取り外す
際、中継部３２から取り外したインクチューブ４４Ａをリブ６８にはめ込んで保持させる
ことができる。つまり、リブ６８はインクチューブ４４Ａの保持部として機能する。これ
により、インク収容体格納部１６Ａ内に別途、インクチューブ４４Ａを保持する構成を設
ける必要が無く、インク収容体格納部１６Ａの構成を簡素化できる。
【００６１】
＜＜＜第１の実施例の変更例＞＞＞
（１）本実施例において、スキャナ部１４には給送機構部１４ｃを設ける構成としたが、
この構成に代えて、カバー部材を設けてもよい。
（２）本実施例において、保持部６４のワンタッチクランプ６６Ｂにインクチューブ４４
Ｂ、４４Ｃ、４４Ｄを保持させる構成としたが、この構成に代えて、ワンタッチクランプ
６６Ａをインクチューブの数だけ設け、インクチューブ４４Ａ、４４Ｂ、４４Ｃ、４４Ｄ
それぞれを個別に保持する構成としてもよい。
（３）本実施例では、インク収容体格納部１６Ｂにおいて中継部６０から取り外されたイ
ンクチューブ５８Ａ、５８Ｂ、５８Ｃを保持する保持部を設けていないが、この構成に代
えて、インク収容体格納部１６Ｂ内に保持部を１箇所、あるいはインクチューブの数に対
応して複数個所設ける構成としてもよい。
（４）また、キャリッジ２６から取り外したインクチューブ接続部３６及びインクチュー
ブ３８を保持部６４で保持する構成としてもよい。
【００６２】
（５）また、本実施例において保持部６４は市販のワンタッチクランプ６６Ａ、６６Ｂで
インクチューブを保持する構成としたが、この構成に代えて、例えば、フックやクリップ
でインクチューブを吊り下げる構成や、着脱アダプタ４６と着脱可能なコネクタ接続口を
保持部６４に設ける構成としてもよい。
（６）本実施例において、保持部６４は中継部３２に対応する位置に設けたが、この構成
に代えて、記録機構部１２においてメンテナンス作業時における中継部３２の着脱を妨げ
ない位置に設ける構成としてもよい。また、保持部６４を記録機構部１２に対して収納可
能な構成、例えば扉式、引き出し式、着脱式等としてもよい。
（７）本実施例においてキャリッジ２６は、シリアル式のキャリッジとして構成したが、
この構成に変えて、キャリッジ２６をライン式のキャリッジとして構成してもよい。
【００６３】
（８）本実施例において、保持部６４のワンタッチクランプ６６Ｂにインクチューブ４４
Ｂ、４４Ｃ、４４Ｄを保持させる構成としたが、この構成に代えて、インクチューブ４４
Ｂ、４４Ｃ、４４Ｄを一体にした多連チューブをワンタッチクランプ６６Ｂに保持させる
構成としてもよく、インクチューブ４４Ｂ、４４Ｃ、４４Ｄのそれぞれの先端に取り付け
られた着脱アダプタ４６を一体化させ、当該一体化させた着脱アダプタ４６をワンタッチ
クランプ６６Ｂに保持させる構成としてもよい。このように構成することによりメンテナ
ンスの作業性を向上させることができる。
（９）本実施例においてインクチューブ４４Ａ、４４Ｂ、４４Ｃ、４４Ｄの先端に設けら
れた着脱アダプタ４６には逆止弁が設けられていない構成としたが、この構成に代えて、
着脱アダプタ４６に逆止弁を設けてもよい。着脱アダプタ４６に逆止弁を設けることによ
り、コネクタ接続口４２からインクチューブ４４を取り外した際、インクチューブ４４内
のインクが漏れ出ることをより確実に防ぐことができる。しかしながら、インクチューブ
４４Ａの着脱アダプタ４６を中継部３２のコネクタ接続口４２から取り外した際、着脱ア
ダプタ４６にインクが１、２滴付着することがある。このように、着脱アダプタ４６にイ
ンクが１、２滴付着した場合であっても、保持部６４は着脱アダプタ４６を装置高さ方向
上方に向けて保持するので、付着したインク滴が滴り落ちることを低減できる。
【００６４】
■■■第２の実施例の説明■■■■
次いで図１６及び図１７を参照して、第２の実施例に係るプリンター７０について説明
する。プリンター７０は、不図示の記録ヘッドが設けられたキャリッジ７２を備えている
。プリンター７０においてキャリッジ７２は図１６における装置幅方向（Ｘ軸方向）に往
復動可能に構成されている。プリンター７０の右側面には「液体収容部」としての複数の
インク収容部７４が設けられている。本実施例においてインク収容部７４は、大容量のイ
ンクタンクとして構成されている。そして、本実施例におけるインク収容部７４はインク
の継ぎ足しが可能に構成されている。
【００６５】
プリンター７０内において、キャリッジ７２がホームポジション（図１６におけるキャ
リッジ７２の位置）に位置する場合において、キャリッジ７２の装置奥行き方向前面側に
中継部７６（図１７参照）が設けられている。本実施例において中継部７６は、インク収
容部７４からキャリッジ７２へインクを送るための管継手７６ａを複数備えて構成されて
いる。また、中継部７６の管継手７６ａにはそれぞれ逆止弁（不図示）が設けられている
。
【００６６】
本実施例において、インク収容部７４と中継部７６とは複数のインクチューブ７８によ
り接続されている。そして、中継部７６とキャリッジ７２、ひいては記録ヘッド（不図示
）とは複数のインクチューブ８０により接続されている。すなわち、本実施例においてイ
ンク収容部７４からキャリッジ７２までのインク経路は、インクチューブ７８、中継部７
６及びインクチューブ８０により構成されている。
【００６７】
また、中継部７６の装置奥行き方向前面側に位置し、装置幅方向に延びるフレーム８２
には保持部８４が設けられている。保持部８４には、インクチューブ７８、あるいはイン
クチューブ８０を着脱可能にはめ込んで保持する複数の凹部８４ａが設けられている。そ
して、保持部８４は、ワンタッチクランプ６６Ａ、６６Ｂにより、中継部７６から取り外
したインクチューブ７８、あるいはインクチューブ８０の一部を凹部８４ａにはめ込むこ
とでインクチューブ７８、あるいはインクチューブ８０の端部の開口部を装置高さ方向上
方に向けた姿勢で保持可能である（図１７参照）。
【００６８】
尚、本実施例においてインク収容部７４は大気開放される構成となっている。そして、
保持部８４に中継部７６から取り外したインクチューブ７８を保持させる際、インクチュ
ーブ７８の端部の開口部の装置高さ方向における高さは、インク収容部７４に収容された
インクの液面よりも高く設定されている。これにより、サイフォン効果でインクチューブ
７８の開口部からインク収容部７４に収容されたインクが漏れ出るのを防止できる。そし
て、このように構成することにより、プリンター７０におけるインク収容部７４の交換、
あるいは修理を容易にすることができる。
【００６９】
＜＜＜第２の実施例の変更例＞＞＞
（１）本実施例において、保持部８４には、一例として凹部８４ａを２箇所設ける構成と
したが、この構成に代えて、インクチューブ７８、８０の数に対応して設ける構成として
もよい。
（２）本実施例において、保持部８４をフレーム８２に設ける構成としたが、この構成に
代えて、保持部８４をインクチューブ７８、あるいはインクチューブ８０が届く範囲内で
プリンター７０の任意の箇所に設ける構成としてもよい。
【００７０】
■■■第３の実施例の説明■■■■
次いで図１８及び図１９を参照して、第３の実施例に係るプリンター８６について説明
する。プリンター８６は、記録ヘッド８７が設けられたキャリッジ８８を備えている。プ
リンター８６においてキャリッジ８８は図１８における装置幅方向（Ｘ軸方向）に往復動
可能に構成されている。プリンター８６の外側の領域には「液体収容部」としての複数の
インク収容部９０Ａ、９０Ｂ、９０Ｃ、９０Ｄが設けられている。本実施例においてイン
ク収容部９０Ａ、９０Ｂ、９０Ｃ、９０Ｄは、それぞれ大容量のインクタンクとして構成
されている。本実施例においてもインク収容部９０はそれぞれインクの継ぎ足しが可能に
構成されている。
【００７１】
本実施例において、キャリッジ８８とインク収容部９０Ａ、９０Ｂ、９０Ｃ、９０Ｄと
はインクチューブ９２Ａ、９２Ｂ、９２Ｃ、９２Ｄによりインク収容部９０Ａ、９０Ｂ、
９０Ｃ、９０Ｄからキャリッジ８８、ひいては記録ヘッド８７へインクを供給可能に接続
されている。尚、本実施例においてインク収容部９０Ａ、９０Ｂ、９０Ｃ、９０Ｄの下部
には排出口が設けられており、インクチューブ９２Ａ、９２Ｂ、９２Ｃ、９２Ｄの端部の
開口部に排出口が挿入されている。
【００７２】
また、本実施例においてプリンター８６の装置幅方向両側面、すなわち右側面及び左側
面には、それぞれ保持部９４、９４が設けられている。保持部９４には、インクチューブ
９２を着脱可能にはめ込んで保持する複数の凹部９４ａが設けられている。本実施例では
、２つの凹部９４ａが保持部９４に設けられている。
【００７３】
そして、図１９に示すように、インク収容部９０Ａ、９０Ｂ、９０Ｃ、９０Ｄからイン
クチューブ９２Ａ、９２Ｂ、９２Ｃ、９２Ｄを取り外し、インクチューブ９２Ａ、９２Ｂ
、９２Ｃ、９２Ｄの一部を保持部９４の凹部９４ａにはめ込む。これにより保持部９４は
、インクチューブ９２Ａ、９２Ｂ、９２Ｃ、９２Ｄの端部の開口部を装置高さ方向上側に
向けたまま、インクチューブ９２Ａ、９２Ｂ、９２Ｃ、９２Ｄを保持できる。そして、こ
のように構成することにより、プリンター９６におけるインク収容部９０Ａ、９０Ｂ、９
０Ｃ、９０Ｄの交換、あるいは修理を容易にすることができる。
【００７４】
＜＜＜第３の実施例の変更例＞＞＞
（１）本実施例においてインク収容部９０Ａ、９０Ｂ、９０Ｃ、９０Ｄは、プリンター８
６の外側の領域に設ける構成としたが、この構成に代えて、装置背面、装置右側面、装置
左側面においてプリンター８６に着脱可能に取り付ける構成としてもよい。
（２）本実施例において保持部９４を装置右側面、装置左側面に設ける構成としたが、こ
の構成に代えて、保持部９４をインクチューブ９２Ａ、９２Ｂ、９２Ｃ、９２Ｄの届く範
囲内でプリンター８６の任意の箇所に設けてもよい。
【００７５】
上記説明をまとめると、プリンター１０は、被記録媒体に対しインクを噴射する記録ヘ
ッド２８と、インクを収容するインク収容体３０と、インク収容体３０と記録ヘッド２８
との間のインク流路３４に設けられた、インクを中継する中継部３２と、インク収容体３
０と中継部３２との間におけるインク流路３４の少なくとも一部を形成するとともに、中
継部３２に対して着脱可能なインクチューブ４４Ａ、４４Ｂ、４４Ｃ、４４Ｄと、中継部
３２から取り外された状態のインクチューブ４４Ａ、４４Ｂ、４４Ｃ、４４Ｄを保持する
保持部６４とを備えている。
【００７６】
上記構成によれば、プリンター１０は、インク収容体３０と記録ヘッド２８との間のイ
ンク流路３４に設けられた、インクを中継する中継部３２を備え、そして中継部３２から
取り外された状態のインクチューブ４４Ａ、４４Ｂ、４４Ｃ、４４Ｄを保持する保持部６
４を備えているので、中継部３２から取り外したインクチューブ４４Ａ、４４Ｂ、４４Ｃ
、４４Ｄを、作業性容易に保持することができる。
【００７７】
上記説明をまとめると、プリンター８６は、被記録媒体に対しインクを噴射する記録ヘ
ッド２８と、インクを収容するインク収容部９０Ａ、９０Ｂ、９０Ｃ、９０Ｄと、インク
収容部９０Ａ、９０Ｂ、９０Ｃ、９０Ｄと記録ヘッド８７との間におけるインク流路の少
なくとも一部を形成するとともに、インク収容部９０Ａ、９０Ｂ、９０Ｃ、９０Ｄに対し
て着脱可能なインクチューブ９２Ａ、９２Ｂ、９２Ｃ、９２Ｄと、インク収容部９０Ａ、
９０Ｂ、９０Ｃ、９０Ｄから取り外された状態のインクチューブ９２Ａ、９２Ｂ、９２Ｃ
、９２Ｄを保持する保持部９４とを備えている。
【００７８】
上記構成によれば、プリンター８６は、インクを収容するインク収容部９０Ａ、９０Ｂ
、９０Ｃ、９０Ｄから取り外された状態のインクチューブ９２Ａ、９２Ｂ、９２Ｃ、９２
Ｄを保持する保持部９４を備えているので、インク収容部９０Ａ、９０Ｂ、９０Ｃ、９０
Ｄから取り外したインクチューブ９２Ａ、９２Ｂ、９２Ｃ、９２Ｄを、作業性容易に保持
することができる。
【００７９】
プリンター１０は、被記録媒体に対しインクを噴射する記録ヘッド２８を備えるキャリ
ッジ２６と、インクを収容するインク収容体３０と、インク収容体３０と記録ヘッド２８
との間におけるインク流路３４の少なくとも一部を形成するとともに、キャリッジ２６に
対して着脱可能なインクチューブ３８と、キャリッジ２６から取り外された状態のインク
チューブ３８を保持する保持部６４とを備えている。
【００８０】
上記構成によれば、プリンター１０は、被記録媒体に対しインクを噴射する記録ヘッド
２８を備えるキャリッジ２６を備え、そしてキャリッジ２６から取り外された状態のイン
クチューブ３８を保持する保持部６４を備えているので、キャリッジ２６から取り外した
インクチューブ３８を、作業性容易に保持することができる。
【００８１】
保持部６４、８４、９４は、インクチューブ３８、４４、５８、７８、８０、９２の開
口を上に向けた状態でインクチューブ３８、４４、５８、７８、８０、９２を保持する。
この構成によれば、保持部６４、８４、９４は、インクチューブ３８、４４、５８、７８
、８０、９２の開口を上に向けた状態でインクチューブ３８、４４、５８、７８、８０、
９２を保持するので、インクチューブ３８、４４、５８、７８、８０、９２の開口からの
インクの漏出を、より確実に防止することができる。
【００８２】
インク収容体３０、インク収容部７４、９０及びインクチューブ３８、４４、５８、７
８、８０、９２を、複数色のインク毎に備え、保持部６４、８４、９４は、複数のインク
チューブ３８、４４、５８、７８、８０、９２毎に保持する構成である。
【００８３】
上記構成によれば、インク収容体３０、インク収容部７４、９０及びインクチューブ３
８、４４、５８、７８、８０、９２を、複数色のインク毎に備え、保持部６４、８４、９
４は、複数のインクチューブ３８、４４、５８、７８、８０、９２毎に保持する構成であ
るので、複数本のインクチューブ３８、４４、５８、７８、８０、９２を纏めて保持させ
る構成に比して保持部６４、８４、９４にインクチューブ３８、４４、５８、７８、８０
、９２を保持させる作業が容易になるとともに、任意のインクチューブ３８、４４、５８
、７８、８０、９２のみを保持させることができ、プリンター１０、７０、８６のメンテ
ナンス作業や修理作業の自由度が向上する。
【００８４】
インクチューブ４４Ａ、４４Ｂ、４４Ｃ、４４Ｄの開口端は、インクチューブ４４Ａ、
４４Ｂ、４４Ｃ、４４Ｄの径より大きいフランジ部４６ａを有する着脱アダプタ４６によ
り構成され、保持部６４は、フランジ部４６ａを利用して着脱アダプタ４６を係止する構
成である。
【００８５】
上記構成によれば、インクチューブ４４Ａ、４４Ｂ、４４Ｃ、４４Ｄの開口端は、イン
クチューブ４４Ａ、４４Ｂ、４４Ｃ、４４Ｄの径より大きいフランジ部４６ａを有する着
脱アダプタ４６により構成され、保持部６４は、フランジ部４６ａを利用して着脱アダプ
タ４６を係止する構成であるので、保持部６４の構造が簡単になるとともに、インクチュ
ーブ４４Ａ、４４Ｂ、４４Ｃ、４４Ｄを確実に保持することができる。
【００８６】
保持部６４は、ワンタッチクランプ６６Ａ、６６Ｂにより構成される。この構成によれ
ば、インクチューブ４４Ａ、４４Ｂ、４４Ｃ、４４Ｄを、より一層作業性容易に、保持部
６４に保持させることができる。
【００８７】
中継部３２が着脱可能に構成され、保持部６４がインクチューブ４４Ａ、４４Ｂ、４４
Ｃ、４４Ｄを保持した状態において、保持部６４及びインクチューブ４４Ａ、４４Ｂ、４
４Ｃ、４４Ｄが、中継部３２の着脱領域から外れた場所に位置している。  
この構成によれば、中継部３２が着脱可能に構成され、保持部６４がインクチューブ４
４Ａ、４４Ｂ、４４Ｃ、４４Ｄを保持した状態において、保持部６４及びインクチューブ
４４Ａ、４４Ｂ、４４Ｃ、４４Ｄが、中継部３２の着脱領域から外れた場所に位置してい
るので、中継部３２の着脱作業の際に保持部６４及びインクチューブ４４Ａ、４４Ｂ、４
４Ｃ、４４Ｄが邪魔にならず、作業性容易に中継部３２を着脱することができる。
【００８８】
中継部３２は、インクチューブ４４Ａ、４４Ｂ、４４Ｃ、４４Ｄが接続されるコネクタ
接続部４０からのインクの漏出を止める逆止弁を備えている。この構成によれば、インク
チューブ４４Ａ、４４Ｂ、４４Ｃ、４４Ｄを中継部３２から取り外した際の、コネクタ接
続部４０からの液体の漏出を防止することができる。
【００８９】
プリンター１０は、インク収容体３０を格納するインク収容体格納部１６Ａを備え、保
持部として機能するリブ６８は、インク収容体格納部１６Ａの内部に設けられている。
【００９０】
また、本実施形態では本発明に係る保持部６４、８４、９４を記録装置の一例としての
インクジェットプリンターに適用したが、その他液体噴射装置一般に適用することも可能
である。  
ここで、液体噴射装置とは、インクジェット式記録ヘッドが用いられ、該記録ヘッドか
らインクを吐出して被記録媒体に記録を行うプリンター、複写機及びファクシミリ等の記
録装置に限らず、インクに代えてその用途に対応する液体を前記インクジェット式記録ヘ
ッドに相当する液体噴射ヘッドから被記録媒体に相当する被噴射媒体に噴射して、前記液
体を前記被噴射媒体に付着させる装置を含むものである。
【００９１】
液体噴射ヘッドとして、前記記録ヘッドの他に、液晶ディスプレー等のカラーフィルタ
ー製造に用いられる色材噴射ヘッド、有機ＥＬディスプレーや面発光ディスプレー（ＦＥ
Ｄ）等の電極形成に用いられる電極材（導電ペースト）噴射ヘッド、バイオチップ製造に
用いられる生体有機物噴射ヘッド、精密ピペットとしての試料噴射ヘッド等が挙げられる
。
【００９２】
尚、本発明は上記実施例に限定されることなく、特許請求の範囲に記載した発明の範囲
内で、種々の変形が可能であり、それらも本発明の範囲内に含まれるものであることは言
うまでもない。
【符号の説明】
【００９３】
１０、７０、８６…プリンター、１２…記録機構部、１４…スキャナ部、１４ａ…原稿台
、１４ｂ…読み取り機構部、１４ｃ…給送機構部、１４ｄ…原稿セット部、１４ｅ…原稿
排出トレイ、１６Ａ、１６Ｂ…インク収容体格納部、１８…媒体収容部、２０…排出口、
２２…排出トレイ、２４…操作部、２６、７２、８８…キャリッジ、２８、８７…記録ヘ
ッド、３０…インク収容体、３２、６０、７６…中継部、３２ａ、５０、５６Ａ、５６Ｂ
、５６Ｃ…接続部、３２ｂ、５２、５４ａ、６２…開口部、３４…インク流路、３６…イ
ンクチューブ接続部、３８、４４、４４Ａ、４４Ｂ、４４Ｃ、４４Ｄ、５８、５８Ａ、５
８Ｂ、５８Ｃ、７８、８０、９２、９２Ａ、９２Ｂ、９２Ｃ、９２Ｄ…インクチューブ、
４０…コネクタ接続部、４２…コネクタ接続口、４６…着脱アダプタ、４６ａ…フランジ
部、４８、５４…外装部材、６４、８４、９４…保持部、６６Ａ、６６Ｂ…ワンタッチク
ランプ、６８…リブ、７４、９０、９０Ａ、９０Ｂ、９０Ｃ、９０Ｄ…インク収容部、７
６ａ…管継手、８２…フレーム、８４ａ、９４ａ…凹部
【図１】
2017124542.tif 000003
【図２】
2017124542.tif 000004
【図３】
2017124542.tif 000005
【図４】
2017124542.tif 000006
【図５】
2017124542.tif 000007
【図６】
2017124542.tif 000008
【図７】
2017124542.tif 000009
【図８】
2017124542.tif 000010
【図９】
2017124542.tif 000011
【図１０】
2017124542.tif 000012
【図１１】
2017124542.tif 000013
【図１２】
2017124542.tif 000014
【図１３】
2017124542.tif 000015
【図１４】
2017124542.tif 000016
【図１５】
2017124542.tif 000017
【図１６】
2017124542.tif 000018
【図１７】
2017124542.tif 000019
【図１８】
2017124542.tif 000020
【図１９】
2017124542.tif 000021